(57)【要約】【課題】パチンコ台の傾斜を設定する従来技術としては、パチンコ台の前面から手動操作で行なうものと、パチンコ台自体にセンサーを取り付けて、このセンサーのデーターによって電動で傾斜を制御するものがあるが、前者は、傾斜の設定において操作時間と設定精度に問題があり、一方、後者はセンサーの取り付け自体、およびこの取り付け精度に問題があって、簡易な操作、且つ高い精度で傾斜が設定できる傾斜の設定手段が求められている。【解決手段】この発明は、パチンコ台の傾斜の設定を、簡易な操作で高い精度で行うことができるパチンコ台の傾斜の設定システムを提供して、上記の課題を解決した。【選択図】図２
2020192300.tif 000002
【特許請求の範囲】
【請求項１】
パチンコ島に固定され、パチンコ台の台枠の上枠と下枠の左右個所を取り付ける上部取り付け手段と、下部取り付け手段よりなり、
上部取り付け手段は、パチンコ島の前後方向に水平向きで回転ボルトを枢着した固定部と、
回転ボルトに螺着したナットを介して上記の固定部に連結し、台枠の上枠を取り付ける移動部とで構成し、
回転ボルトには、
複数のギヤを介してステッピングモーターを連結するとともに、このギヤ軸には制御ユニットに接続したエンコーダを配置し、
エンコーダの信号に対応する上記の制御ユニットによって、ステッピングモーターを制御駆動することで、
パチンコ台の上部が、他方、下部を支点としてパチンコ島の前後方向に移動してパチンコ台の傾斜を設定できるようにしたパチンコ台の傾斜設定システムに於いて、
制御ユニットは、
電源回路と、インターフェイス回路と、メモリーを備えたマイクロコントローラと、
マイクロコントローラと接続し、ディスプレイを備えた操作部とで構成し、
パチンコ台の傾斜の設定において、
以前のデーターが削除されるとともに、仮定した傾斜の規準値がディスプレイに表示されるステップと、
傾斜測定器を使用して、パチンコ台のガラス面の傾斜を測定するステップと、
操作部を操作して、ガラス面の傾斜を規準値の傾斜に設定するステップと、
操作部のインチング操作において設定される傾斜値と、ディスプレイの表示とが５厘間隔で相関するとともに、この相関関係とディスプレイの表示とが記憶されるように設定されるステップと、
操作部をインチング操作して、パチンコ台の傾斜を５厘間隔で予定の傾斜に設定するステップとよりなり、
上記で設定された傾斜と異なる次ぎの傾斜の設定においては、
傾斜測定器を使用しなくても傾斜が設定できるように、
マイクロコクトローラに組み込まれていること、
を特徴とするパチンコ台の傾斜設定システム。
【請求項２】
パチンコ島に固定され、パチンコ台の台枠の上枠と下枠の左右個所を取り付ける上部取り付け手段と、下部取り付け手段とよりなり、
上部取り付け手段は、パチンコ島の前後方向に水平向きで回転ボルトを枢着した固定部と、
回転ボルトに螺着したナットを介して上記の固定部に連結し、台枠の上枠を取り付ける移動部とで構成し、
回転ボルトには、
複数のギヤを介してステッピングモーターを連結するとともに、このギヤ軸には制御ユニットに接続したエンコーダを配置し、
エンコーダの信号に対応する上記の制御ユニットによって、ステッピングモーターを制御駆動することで、
パチンコ台の上部が、他方、下部を支点としてパチンコ島の前後方向に移動してパチンコ台の傾斜を設定できるようにしたパチンコ台の傾斜設定システムに於いて、
制御ユニットは、
電源回路と、インターフェイス回路と、メモリーを備えたマイクロコントローラと、
マイクロコントローラと接続し、ディスプレイを備えた操作部とで構成し、
パチンコ台の傾斜の設定において、
以前のデーターを削除するステップと、
傾斜測定器を使用して、パチンコ台のガラス面の傾斜を測定するステップと、
操作部を操作して、パチンコ台の傾斜を予定の傾斜に設定するステップと、
操作部をインチング操作して、上記で設定された傾斜値を５厘間隔でディスプレイに表示するステップと、
操作部のインチング操作において設定される傾斜値と、ディスプレイの表示とが５厘間隔で相関するとともに、この相関関係とディスプレイの表示とが記憶されるように設定されるステップと、
上記で設定された傾斜と異なる次ぎの傾斜の設定においては、
傾斜測定器を使用しなくても傾斜が設定できるように、
マイクロコクトローラに組み込まれていること、
を特徴とするパチンコ台の傾斜設定システム。
【請求項３】
前記パチンコ台の台枠をパチンコ島に固定した後に、
上部取り付け手段の台枠の取り付け位置が、
パチンコ島の前面を基点とした基準の取り付け位置と異なる場合は、
操作部を連続的に操作して、規準の取り付け位置に設定し、
パチンコ台の傾斜の設定においては、
操作部をインチング操作して、パチンコ台の傾斜を５厘単位で間欠的に設定すること、
を特徴とする前記請求項１と２に記載のパチンコ台の傾斜調整システム。
【請求項４】
前記操作部は、
リセットスイッチと、
パチンコ台の傾斜を５厘単位で表示するディスプレイと、
増減スイッチと、
セットスイッチとよりなり、
リセットスイッチの操作で、以前のデーターが削除されるとともにディスプレイにパチンコ台の傾斜の規準値が表示され、
増減スイッチの連続操作もしくはインチング操作で、連続的もしくは５厘間隔で間欠的にパチンコ台の台枠の取り付け位置ならびにパチンコ台の傾斜が設定され、
セットスイッチの操作で、上記の増減スイッチのインチング操作における５厘間隔の傾斜の設定と相関して、この傾斜値がディスプレイに表示されるとともに、この相関関係と表示とが記憶されること、
を特徴とする前記請求項１に記載のパチンコ台の傾斜設定システム。
【請求項５】
前記操作部は、
リセットスイッチと、
パチンコ台の傾斜を５厘単位で表示するディスプレイと、
ディスプレイスイッチと、
増減スイッチと、
セットスイッチとよりなり、
リセットスイッチの操作で、以前のデーターが削除され、
増減スイッチの連続操作もしくはインチング操作で、連続的もしくは５厘間隔で間欠的にパチンコ台の傾斜が設定され、
ディスプレイスイッチの操作で、増減スイッチがディスプレイの表示を５厘間隔で変えるスイッチに切り替わり、
この、増減スイッチの操作でディスプレイに上記設定の傾斜値が表示され、
次ぎに、セットスイッチの操作で、増減スイッチが傾斜設定のスイッチに切り替わり、増減スイッチのインチング操作に相関してこの傾斜値がディスプレイに表示されるとともに、この相関関係と表示とが記憶されようになること、
を特徴とする前記請求項２に記載のパチンコ台の傾斜設定システム。
【請求項６】
前記操作部は、
パチンコ島の点検口の周縁部に設置し、
上記の点検口に開閉自在に設けられた幕板で点検時以外は遮られていること、
を特徴とする前記請求項１乃至５に記載のパチンコ台の傾斜設定システム。
【請求項７】
前記制御ユニットは、
パチンコ島に設置するとともにコネクターを備え、
コネクターには、
操作スイッチとディスプレイとを設けた操作部をケーブルを介して接続して、
パチンコ島の前方より遠隔操作するようにしたこと、
を特徴とする前記請求項１乃至５に記載のパチンコ台の傾斜設定システム。
【請求項８】
前記制御ユニットは、
操作スイッチとディスプレイとを設けた操作部に設け、
操作部は、
パチンコ島に設置したコネクーにケーブルを介して接続し、
パチンコ島の前方より遠隔操作するようにしたこと、
を特徴とする前記請求項１乃至５に記載のパチンコ台の傾斜設定システム。
【請求項９】
前記操作部には、
バッテリーを設けたこと、
を特徴とする前記請求項７と８に記載のパチンコ台の傾斜設定システム。
【請求項１０】
前記操作部には送信回路を設け、
パチンコ島には受信回路を設けて、
パチンコ島の前方より無線遠隔操作すること、
を特徴とする前記請求項１と２に記載のパチンコ台の傾斜設定システム。
【請求項１１】
前記制御ユニットは、ステッピングモーターと複数のギヤおよびエンコーダよりなる駆動部とパッケージ化し、
このパッケージを、パチンコ台の上部取り付け手段の固定部の上部もしくは左右の一側に設置し、
この駆動部と、上部取り付け手段の固定部の回転ボルトとを複数のギヤで連結したこと、
を特徴とする前記請求項１と２に記載のパチンコ台の傾斜設定システム。
【請求項１２】
前記ステッピングモーターは、ギヤヘッドと一体化したエンコーダ付きモーターを用い、
上部取り付け手段の固定部の上部もしくは左右の一側に設置し、
この駆動部と上部取り付け手段の回転ボルトとを複数のギヤで連結したこと、
を特徴とする前記請求項１と２に記載のパチンコ台の傾斜設定システム。
【請求項１３】
前記制御ユニットは、遊戯施設全体を管理するホールコンピューターに組み込まれるようにしたこと、
を特徴とする前記請求項１と２に記載のパチンコ台の傾斜設定システム。
【請求項１４】
前記傾斜測定器は気泡管を備え、
パチンコ台の傾斜の仮想の規準値を示す位置に規準線や規準マークなどを設けるようにしたこと、
を特徴とする前記請求項１に記載のパチンコ台の傾斜設定システム。
【発明の詳細な説明】
【技術分野】
【０００１】  この発明はパチンコ台の傾斜を設定する傾斜設定システムに関する。
【背景技術】
【０００２】  パチンコ台は、後方へ１度以内に傾いた傾斜で設置するものと規定されている。
一方、パチンコ台は、メーカーで一定の傾斜を基準として製造されているものであり、パチンコ店においても同様に、パチンコ台の特性に応じた傾斜で設置するようにしている。【０００３】  また、パチンコ台の取り付けは、最初に方形の台枠をパチンコ島に取り付けた後に、この台枠にパチンコ台を取り付けるようにしている。
上記の台枠をパチンコ島に固定するには、台枠の下枠をビスや釘などで止着し、次に台枠の縦桟の傾斜を傾斜測定器で決めてから、上枠を同様にして止着する取り付け手段が一般的である。
然しながら、従前の取り付け手段では、パチンコ台を一定の傾斜に設定するには熟練が必要で難しい上に、パチンコ台を特性に応じた傾斜に設定するにあたり、傾斜の調整が簡単にできなかった。【０００４】  上記の問題点を解決する手段として特許文献１と２および３が提案されている。
特許文献１は、パチンコ島に傾斜を調整する駆動装置（ギヤドモーター）を設置し、他方、パチンコ台を取り付ける台枠（外枠）にはセンサー（角度検知装置）を取り付け、駆動装置をセンサーのデーターに対応して、パチンコ台の下部を進退制御することでパチンコ台の傾斜を調整するように提案している。【０００５】  特許文献２は、駆動装置にステッピングモーターを用い、この回転角度を制御してパチンコ台の傾斜を調整するようにしている。
また、上記の特許文献１と２は、パチンコ台の傾斜が設定した傾斜から乖離した場合は、もとの傾斜に復帰調整する機能が備えられている。【０００６】  特許文献３は、手動で操作する傾き調整装置をパチンコ島に設け、この操作をコントロールワイヤーでパチンコ島の前側から行なうようにしたものであり、コントロールワイヤーの回転操作によって、傾き調整装置の調整螺子を回転することでパチンコ台の傾斜が調整される。
また、上記傾斜の調整においては、パチンコ台の盤面の傾斜を規準とし、当該盤面に傾斜測定器を手で当てて測定しながら、コントロールワイヤーを回転操作してパチンコ台の傾斜を設定し、一方、傾斜の設定後は、コントロールワイヤーの回転の数によってパチンコ台を所定の傾斜に調整できるようにしている。
【先行技術文献】
【特許文献】
【０００７】
【特許文献１】特開２００８−２８４２８０号
【特許文献２】特開２００７−２５９９６１号
【特許文献３】特開２０１２−１１１５７号
【発明の概要】
【発明が解決しようとする課題】
【０００８】  パチンコ台の傾斜の概念を後述のパチンコ島の断面を示す図１によって説明すると、このパチンコ島１は、全体が後方へ傾いた傾斜で設置され、この天板２と下板３との内側に枠形状の台枠４の上枠５と下枠６が取り付けられ、パチンコ台７は上記の台枠４に左側を支点として開閉自在に取り付けられる。
また、パチンコ台７の傾斜は、下端の基点Ａから立ち上げた垂線Ｂに対する、上端の基点Ｃとの水平距離Ｄで示し、この距離Ｄは部厘単位で表現され、また、この傾斜の設定の間隔は、一般に５厘間隔（０．１度）とされ、最大で約５分未満（１度以内）と規定されている。
図１において、パチンコ島１が３分５厘の傾きで据付工事されているとすると、このパチンコ島１に、パチンコ台７の前面がパチンコ島１の前面８と面一として取り付けられると、このパチンコ台７は３分５厘の傾斜で設置されることになる。
然しながら、上記のようにしてパチンコ台７を取り付けたにしても、パチンコ島１の傾斜の精度やパチンコ台７の取り付け精度を一定とすることは難しいので、現実には台枠４やパチンコ台７自体の傾斜を確認して調整する工程が必要となっている。【０００９】  また、上述の特許文献１乃至３では、パチンコ島１の天板２にパチンコ台７の傾斜を調整する装置を固定し、この装置で台枠４の上枠５を取り付けて、上枠５を前後に移動して傾斜を調整するようにしている。【００１０】  上記の特許文献１ではセンサーを台枠４に取り付けて傾斜のデーターを収得するようにしている。
然しながら、台枠４は木製やアルミの押し出し成型部品の接合構造であり安易に変形しやすく、上記傾斜の調整過程、即ち、上枠もしくは下枠の一方を支点として他方を移動する傾斜の設定において、台枠自体が変形するので台枠の傾斜角度とパチンコ台の傾斜角度とは相関性が無く、台枠の傾斜の変化とパチンコ台の傾斜の変化は一致しない。
また、台枠４は全体のフレームサイズの規準はあるにしても、パチンコメーカーや機種ごとに形状が多様であり、この表面粗度も一定でないので、センサーを一定の基準で取り付けること自体が困難でデーターの信頼性に問題があるとともに、パチンコ台の新台の入れ替えの度にセンサーを取り付ける煩雑な作業が必要となる。【００１１】  特許文献２は、センサーを用いてパチンコ台の傾斜を調整する目的に於いて特許文献１と同様の問題があった。【００１２】  特許文献３のパチンコ台の傾き調整装置は、コントロールワイヤーの操作部を回すことで、装着枠（台枠）の上部が移動してパチンコ台の傾斜が調整できるようにしている。
而して、この特許文献３では、傾斜の調整装置をパチンコ島１に固定した後に、図１に示したように天板２が一般的な規準巾Ｅａ（１００ミリ）より巾が広い（Ｅｂ）場合、台枠の規準取り付け位置Ｇ１がＧ２に後退するので、台枠４の取り付けの前に規準取り付け位置Ｇ１まで前進させる初期設定が必要となる。
また、台枠４の巾が規準巾Ｆａ（７０ミリ）より巾が広い（Ｆｂ）場合は、さらに取り付け位置はＦｃからＦｄに前進させる初期設定が必要となる。
一方、上記の調整装置の取り付け位置の合計移動距離は最大で５０ミリ程度となる。
また、パチンコ台７の傾斜の設定値は一般的に２分から４分５厘の範囲で、台枠４の取り付け位置の移動距離にして８ミリ程度であり、また、この調整の間隔は一般的に５厘（１．５ミリ）とされている。
上述の傾斜の調整装置においては、コントロールワイヤーの操作部を回して台枠４の取り付け位置を移動させる連続操作と、５厘（１．５ミリ）単位で台枠４の傾斜を設定する間欠操作によって、パチンコ台の傾斜が設定される。【００１３】  上記の傾斜の設定においては、台枠の取り付け位置の初期設定に時間と労力を必要とし、また、５厘単位の傾斜の設定において、ハンドルの回転開始位置を規準として行なわれるこの操作手段は、操作者の感覚に依拠する部分が多く、例えば操作部のハンドルの回転開始位置と終了位置を同じにして回転角を一致させることは難しく、また、この回転数を記憶して行なうにしても連続回転操作においては誤認操作によって傾斜の設定誤差が多かった。
他方、パチンコホールは平均４００台程度のパチンコ台が設置され、同じ機種を同じ傾斜に設定して同一条件にする必要があるが、上記の従来手段ではこの対応が困難であった。【００１４】  また、コントロールワイヤーの回転数と傾斜値が相関するようにして、新たに傾斜の測定をせずにコントロールワイヤーの回転の数で傾斜を設定するとしているが、この設定操作は、前記の設定誤差が生じやすいことと、さらに、以前の設定値をメモ等で確認して行なう等の記録の確認手段が必要であった。【００１５】  また、測定器をパチンコ台の盤面にあててパチンコ台の傾斜の確認をしているが、パチンコ台の盤面は、ベニヤ板とプラッスチック板との張り合わせ構造であり、表面には微細な凹凸があり、測定個所によっては５厘前後の誤差が生じるので、５厘単位の傾斜調整の必要条件に対して測定精度が対応できず、さらに、測定器を盤面に手で当てながら計測が行なわれるため、盤面への押し当ての程度によって測定誤差が生ずる。【００１６】  また、上記の計測および傾斜の調整操作において、操作部が測定器の近傍にないため傾斜の調整と確認を交互に行う必要があり、この操作が難しく調整誤差が生じやすかった。【００１７】  本発明のパチンコ台の傾斜調整システムは、上記に鑑みてなされたもので、従来の問題点の解決を目的としている。
即ち、パチンコ台の傾斜を設定するにあたり、パチンコ台や台枠等に傾斜や位置のセンサーを取り付けずに傾斜を設定および調整できるようにして、従来の問題点を解消することを目的とする。
また、センサーを利用しない結果、他の測定手段で傾斜を測定する必要が生ずるが、この測定自体を簡便に、且つ最小限の利用で可能とすることを目的とする。
また、パチンコ台の傾斜の設定および調整、ならびに表示とこの保持とが簡単な操作で行えることを目的としている。
また、上部取り付け手段の台枠の取り付け規準位置の設定、およびパチンコ台の傾斜の設定が短時間で高精度でおこなえるようにすることを目的とする。
また、傾斜の設定および調整の操作が、当事者以外が不正にできないようにすることを目的とする。
また、傾斜の設定および調整を遠隔で操作できるようにして、傾斜の設定および調整が簡便となることを目的とする。
また、このシステムの設置工事において、パチンコ島内部の電気配線を不要とすることを目的とする。
また、このシステムを用いて、遊戯施設全体のパチンコ台の傾斜の管理ができるようにすることを目的とする。
また、駆動装置ならびに制御ユニットの取り付け工事において、パチンコ島内部の他の機器と干渉せずに設置できるようにすることを目的とする。
また、傾斜測定器の使用において、パチンコ台の傾斜の規準値の確認が誤差なくできるようにすることを目的としている。
【課題を解決するための手段】
【００１８】  前記課題を解決するため、この発明のパチンコ台の傾斜調整システムは、パチンコ島に固定され、パチンコ台の台枠の上枠と下枠の左右個所を取り付ける上部取り付け手段と、下部取り付け手段よりなり、上部取り付け手段は、パチンコ島の前後方向に水平向きで回転ボルトを枢着した固定部と、回転ボルトに螺着したナットを介して上記の固定部に連結し、台枠の上枠を取り付ける移動部とで構成し、回転ボルトには、複数のギヤを介してステッピングモーターを連結するとともに、このギヤ軸には制御ユニットに接続したエンコーダを配置し、エンコーダの信号に対応する上記の制御ユニットによって、ステッピングモーターを制御駆動することで、パチンコ台の上部が、他方、下部を支点としてパチンコ島の前後方向に移動してパチンコ台の傾斜を設定できるようにしたパチンコ台の傾斜設定システムに於いて、制御ユニットは、電源回路と、インターフェイス回路と、メモリーを備えたマイクロコントローラと、マイクロコントローラと接続し、ディスプレイを備えた操作部とで構成し、パチンコ台の傾斜の設定において、以前のデーターが削除されるとともに、仮定した傾斜の規準値がディスプレイに表示されるステップと、傾斜測定器を使用して、パチンコ台のガラス面の傾斜を測定するステップと、操作部を操作して、ガラス面の傾斜を規準値の傾斜に設定するステップと、操作部のインチング操作において設定される傾斜値と、ディスプレイの表示とが５厘間隔で相関するとともに、この相関関係とディスプレイの表示とが記憶されるように設定されるステップと、操作部をインチング操作して、パチンコ台の傾斜を５厘間隔で予定の傾斜に設定するステップとよりなり、上記で設定された傾斜と異なる次ぎの傾斜の設定においては、傾斜測定器を使用しなくても傾斜が設定できるように、マイクロコクトローラに組み込まれているようにした。【００１９】  パチンコ島に固定され、パチンコ台の台枠の上枠と下枠の左右個所を取り付ける上部取り付け手段と、下部取り付け手段とよりなり、上部取り付け手段は、パチンコ島の前後方向に水平向きで回転ボルトを枢着した固定部と、回転ボルトに螺着したナットを介して上記の固定部に連結し、台枠の上枠を取り付ける移動部とで構成し、回転ボルトには、複数のギヤを介してステッピングモーターを連結するとともに、このギヤ軸には制御ユニットに接続したエンコーダを配置し、エンコーダの信号に対応する上記の制御ユニットによって、ステッピングモーターを制御駆動することで、パチンコ台の上部が、他方、下部を支点としてパチンコ島の前後方向に移動してパチンコ台の傾斜を設定できるようにしたパチンコ台の傾斜設定システムに於いて、制御ユニットは、電源回路と、インターフェイス回路と、メモリーを備えたマイクロコントローラと、マイクロコントローラと接続し、ディスプレイを備えた操作部とで構成し、パチンコ台の傾斜の設定において、以前のデーターを削除するステップと、傾斜測定器を使用して、パチンコ台のガラス面の傾斜を測定するステップと、操作部を操作して、パチンコ台の傾斜を予定の傾斜に設定するステップと、操作部をインチング操作して、上記で設定された傾斜値を５厘間隔でディスプレイに表��するステップと、操作部のインチング操作において設定される傾斜値と、ディスプレイの表示とが５厘間隔で相関するとともに、この相関関係とディスプレイの表示とが記憶されるように設定されるステップと、上記で設定された傾斜と異なる次ぎの傾斜の設定においては、傾斜測定器を使用しなくても傾斜が設定できるように、マイクロコクトローラに組み込まれているようにした。【００２０】  前記パチンコ台の台枠をパチンコ島に固定した後に、上部取り付け手段の台枠の取り付け位置が、パチンコ島の前面を基点とした基準の取り付け位置と異なる場合は、操作部を連続的に操作して、規準の取り付け位置に設定し、パチンコ台の傾斜の設定においては、操作部をインチング操作して、パチンコ台の傾斜を５厘単位で間欠的に設定するようにした。【００２１】  前記操作部は、リセットスイッチと、パチンコ台の傾斜を５厘単位で表示するディスプレイスイッチと、増減スイッチと、セットスイッチとよりなり、リセットスイッチの操作で、以前のデーターが削除されるとともにディスプレイにパチンコ台の傾斜の規準値が表示され、増減スイッチの連続操作もしくはインチング操作で、連続的もしくは５厘間隔で間欠的にパチンコ台の台枠の取り付け位置ならびにパチンコ台の傾斜が設定され、セットスイッチの操作で、上記の増減スイッチのインチング操作における５厘間隔の傾斜の設定と相関して、この傾斜値がディスプレイに表示されるとともに、この相関関係と表示とが記憶されようにした。【００２２】  前記操作部は、リセットスイッチと、パチンコ台の傾斜を５厘単位で表示するディスプレイと、ディスプレイスイッチと、増減スイッチと、セットスイッチとよりなり、リセットスイッチの操作で、以前のデーターが削除され、増減スイッチの連続操作もしくはインチング操作で、連続的もしくは５厘間隔で間欠的にパチンコ台の傾斜が設定され、ディスプレイスイッチの操作で、増減スイッチがディスプレイの表示を５厘間隔で変えるスイッチに切り替わり、この、増減スイッチの操作でディスプレイに上記設定の傾斜値が表示され、次ぎに、セットスイッチの操作で、増減スイッチが傾斜設定のスイッチに切り替わり、増減スイッチのインチング操作に相関してこの傾斜値がディスプレイに表示されるとともに、この相関関係と表示とが記憶されようにした。【００２３】  前記操作部は、パチンコ島の点検口の周縁部に設置し、上記の点検口に開閉自在に設けられた幕板で点検時以外は遮られようにした。【００２４】  前記制御ユニットは、パチンコ島に設置するとともにコネクターを備え、コネクターには、操作スイッチとディスプレイとを設けた操作部をケーブルを介して接続して、パチンコ島の前方より遠隔操作するようにした。【００２５】  前記制御ユニットは、操作スイッチとディスプレイとを設けた操作部に設け、操作部は、パチンコ島に設置したコネクーにケーブルを介して接続し、パチンコ島の前方より遠隔操作するようにした。【００２６】  前記操作部には、バッテリーを設けるようにした。【００２７】  前記操作部には送信回路を設け、パチンコ島には受信回路を設けて、パチンコ島の前方より無線遠隔操作するようにした。【００２８】  前記制御ユニットは、ステッ��ングモーターと複数のギヤおよびエンコーダよりなる駆動部とパッケージ化し、このパッケージを、パチンコ台の上部取り付け手段の固定部の上部もしくは左右の一側に設置し、この駆動部と、上部取り付け手段の固定部の回転ボルトとを複数のギヤで連結するようにした。【００２９】  前記ステッピングモーターは、ギヤヘッドと一体化したエンコーダ付きモーターを用い、上部取り付け手段の固定部の上部もしくは左右の一側に設置し、この駆動部と上部取り付け手段の回転ボルトとを複数のギヤで連結するようにした。【００３０】  前記制御ユニットは、遊戯施設全体を管理するホールコンピューターに組み込まれるようにした。【００３１】  前記傾斜測定器は気泡管を備え、パチンコ台の傾斜の仮想の規準値を示す位置に規準線や規準マークなどを設けるようにした。
【発明の効果】
【００３２】  この発明のパチンコ台の傾斜設定システムは、上記の構成でありパチンコ台の傾斜を設定および調整するにあたり、パチンコ台や台枠等に傾斜や位置のセンサーを取り付けずに行なえるのでセンサーの設置作業がなくなり、一方、センサーの設置環境によってはパチンコ台の傾斜の設定が一定とならなかった従来の問題点が解消される。【００３３】  他方、センサーを利用せずに、他の測定手段で傾斜を測定するにしても、この測定作業は最初の傾斜の設定時のみとして以降の設定では不要となる。
また、傾斜の設定が５厘単位で行なわれ、且つこの傾斜の変化に相関して傾斜値が表示されるので、傾斜の設定および確認が簡易となり誤差も生じない。
また、日時を隔てて傾斜を調整しなおす場合も、新たに傾斜を測定する必要が無く簡易な操作だけで誤差なく設定できる。【００３４】  また、台枠の取り付け手段の基準位置の設定および、およびこれに続くパチンコ台の傾斜の設定が、前者は連続的に短時間で行なえ、後者は間欠的に高精度で行なえる。【００３５】  また、このシステムの操作は当事者以外が不正に使用できない。【００３６】  また、傾斜の設定を遠隔で操作することで、操作性の向上が計られるとともに傾斜測定器の近傍で操作できるので、傾斜値の確認誤差が少なく設定精度が向上する。【００３７】  また、上記の遠隔操作を行なう操作部に制御ユニットを設けることで、パチンコ台１台づつに必要とされた制御ユニットが、パチンコ店全体で１ユニットのみで可能となり経済効果が大きい。【００３８】  また、このシステムの設置工事において、パチンコ島内部の電気配線が不要となったので、装置コストおよび工事費の軽減ならびに設置後の配線に起因する故障等が改善される。【００３９】  また、当該システムを用いて、遊戯施設全体のパチンコ台の傾斜の管理ができるので、施設運営上の合理化が計られる。【００４０】  また、駆動装置ならびに制御ユニットの設置工事にあたり、パチンコ島の内部の他の機器と干渉しないようにして設置できるので他の機器類の移動をする必要がない。【００４１】  また、傾斜の設定で利用する傾斜測定器の読み取り誤認がなくなるとともに、傾斜合わせが簡易となる。
【図面の簡単な説明】
【００４２】
【図１】パチンコ台の傾斜の概念図
【図２】傾斜測定器を用いた傾斜設定システムを示す、パチンコ島の断面図
【図３】パチンコ台の取り付け手段の設置例を示す台枠の正面図
【図４】制御ユニットの説明図
【図５】操作スイッチの正面図
【図６】図５の他の操作スイッチを示す正面図
【図７】傾斜測定器の使用例を示すパチンコ台の正面図
【図８】傾斜測定器の斜視図
【図９】傾斜測定器の使用状態を示す平面図
【図１０】制御システムの説明図
【図１１】駆動部と制御ユニットの系統図
【図１２】図５の操作部および図１０の制御システムのフローチャート
【図１３】図６の操作部の制御システムのフローチャート
【図１４】制御システムの有線遠隔操作を示す説明図
【図１５】制御システムの無線遠隔操作を示す説明図
【図１６】操作部の仮置き例を示すパチンコ台の正面図
【図１７】制御システムの遠隔操作を示す系統図
【図１８】制御システムの遠隔操作部を示す他の系統図
【図１９】上部取り付け手段と駆動手段の連結状態を示す正面図
【図２０】図１９の上部取り付け手段の分解斜視図
【図２１】制御ユニットとモーターのパッケージの配置例を示す断面図
【図２２】パチンコホール全体の制御系の説明図
【発明を実施するための形態】
【００４３】  この発明は、パチンコ台の傾斜設定システムに関し、以下、図１〜図２２を参照し、この実施形態にもとづいて本発明を説明する。
【００４４】  図２および図３は、パチンコ島１に設置されたパチンコ台７を示し、パチンコ島１の天板２と下板３と縦桟９とで形成された区画１０内に台枠４を取り付け、この台枠４の前面に、左端を開扉自在としてパチンコ台７が取り付けられる。
台枠４の上枠５は、パチンコ島１の天板２に固定された上部取り付け手段１１で取り付けられ、他方、台枠４の下枠６は、パチンコ島１の下板３に下部取り付け手段１２で取り付けられる。
上部取り付け手段１１は、パチンコ島１の天板２にビス１３ａで止着された固定部１４と、台枠４の上枠５をビス１３ｂで止着した移動部１５とで構成され、固定部１４には、パチンコ島１の前後方向に水平向きで回転ボルト１６が枢着され、他方、移動部１５は回転ボルト１６に螺着したナット１８に連結し、上記の回転ボルト１６の回転によって、台枠４およびパチンコ台７は、後述の台枠４の下枠６の取り付け個所を支点として上部がパチンコ島の前後方向に移動して傾斜が設定される。
上記の上部取り付け手段１１の詳細は、図１９と図２０にもとづいて後述する。
【００４５】  上記の下部取り付け手段１２は、台枠４の下枠６を、螺子２０もしくは釘やタッカー等でパチンコ島１の下板３に止着する取り付け手段を例示している。
また、上部取り付け手段１１および下部取り付け手段１２は、図３で示したようにパチンコ島１の区画１０内の天板２および下板３の左右に設置され、台枠４の上板５と下板６の左右個所を取り付ける。
【００４６】  上部取り付け手段１１および下部取り付け手段１２は、実施例以外に台枠４の上枠５および下枠６を上方もしくは下方から押圧して取り付ける取り付け装置や、上枠５を上下から押圧挟持する取り付け装置など、また、この操作も電動もしくはトグルクランプのレバー操作によるなどのその他の取り付け手段を含み、パチンコ島１に台枠４の上枠５および下枠６を取り付けるとともに、上枠５をパチンコ島１の前後方向に移動して傾斜を調整する手段全般を対象としこの実施例に限定するものではない。
【００４７】  図４は、駆動部２１と、制御ユニット２２とをパッケージ２３としたものを例示している。
上記のパッケージ２３は、ステッピングモーター２４と、このギヤ２５と、このギヤ２５と連結した複数のギヤ２６のギヤ軸２７と、この出力側のギヤ軸２８に配置したスリット円盤２９およびフォトインタラプタ３０とで構成したエンコーダ３１と、パッケージ２３の外側で上記の出力側のギヤ軸２８に設けた駆動ギヤ３２とで構成した駆動部２１と、ステッピングモーター２４を、制御駆動する制御ユニット２２とで構成している。
上記の出力側のギヤ軸２８は、パッケージ２３の内部で他のギヤ軸２７と同様に回転自在に支承されている。
エンコーダ３１は光学式を例示しているが、他の方式でも同様に利用でき実施例に限定するものではない。
上記のパッケージ２３は図２と図１９に示したように、上部取り付け手段１１の固定部１４の上部に設置され、回転ボルト１６の後端に設けた従動ギヤ３３と駆動ギヤ３２とを連結して、ステッピングモーター２４の駆動で回転ボルト１６とナット１８を介して移動部１５に取り付けられた台枠４の上枠５をパチンコ島１の前後方向に移動して、パチンコ台７の傾斜が設定される。
【００４８】  図２と図３と図５および図６の３４は操作部を示し、ディスプレイ３５と、リセットスイッチ３６と、セットスイッチ３７と、増減スイッチ３８および電源スイッチ３９とを備えて、パチンコ島１の点検開口４０の周縁部（図面では点検開口の下板）に設置され、点検開口４０の上端４１を支点として該点検開口４０に開閉自在に設けられた幕板４２で通常は遮られている。
ディスプレイ３５は、パチンコ台７の傾斜が５厘間隔で表示され、液晶表示ディスプレイ等を一例としている。
リセットスイッチ３６はこの操作で、以前のデーターが削除されるとともにディスプレイ３５にパチンコ台７の傾斜の規準値が表示される。（実施例では３分５厘）
セットスイッチ３７はこの操作で、増減スイッチ３８のインチング操作による５厘間隔の傾斜の設定と相関して、この傾斜値がディスプレイ３５に表示されるとともに、この相関関係と表示とが記憶される。
増減スイッチ３８は、＋と−のスイッチがあり、夫々の連続操作もしくはインチング操作で、ステッピングモーター２４が制御駆動されて、連続的もしくは５厘間隔で間欠的に、パチンコ台７の上部取り付け手段１１のパチンコ島７の取り付け位置とパチンコ台７の傾斜が設定される。
また、図６の操作部３４の他の実施例では、上記に追加してディスプレイスイッチ４３を設けているが、このディスプレイスイッチ４３の操作によって、増減スイッチ３８がディスプレイ３５の表示の操作スイッチに切り替わり、次ぎの、増減スイッチ３８のインチング操作でディスプレイ３５に５厘間隔で傾斜値が表示される。
【００４９】  図２と図７から図９で示した４４は傾斜測定器を示し、パチンコ台７の盤面４５と平行に設けられているガラス面４６の左右一対で縦向きとして装着されて、当該ガラス面４６の傾斜が測定される。
４７はガラス面４６の上部中央に吸着させた吸盤を示し、つまみ４８に穿った穴４９と、傾斜測定器４４のエンドキャップ５０の穴５１とを保安ひも５２で夫々掛止めして、傾斜測定器４４がガラス面４６との吸着を外れて落下する等の事故の保安を図っている。
【００５０】  傾斜測定器４４は、アルミや樹脂等の方形の中空の基材５３と、この基材５３の背面に接着したマイクロ吸盤シート５４と、基材５３の正面に設けた気泡管５５および基材５３の上下端に嵌入したエンドキャップ５０と５６とで構成し、マイクロ吸盤シート５４は外側の接着面をミクロン単位の微細な吸着凹部が全面に形成された吸着面５７とし、傾斜測定器４４はこの吸着面５７をガラス面４６に吸着させて、ガラス面４６に装着される。
【００５１】  ５８は気泡管ケースを示し、内部に上記の気泡管５５を収納するとともにＬ金具５９の上面に固着し、このＬ金具５９は基材５３の正面に気泡管５５と基材５３の正面とが直角となるようにしてネジ６０で固定している。
気泡管ケース５８の上面には図８で示すように、パチンコ台７の傾斜を示す０から５分までの５厘間隔の目盛り６１を表示し、気泡管５５の気泡６２が位置するこの目盛り６１を規準としてパチンコ台７の傾斜が測定される。
図９は、目盛り６１の他の実施例を示し、気泡管ケース５８の上面に表示する規準線６３を、パチンコ台７の傾斜が、仮定した規準の傾斜に設定されている場合の気泡６２の位置に表示して、パチンコ台７が仮定の規準値の傾斜に設定されていることが確認できるようにし、実施例ではパチンコ台７の仮定の傾斜の規準値を３分５厘としている。
上記の規準線６３は、実施例のように気泡６２の外縁位置を示す２本の線、もしくは気泡６２の中心を示す１本の線およびその他マーク等としても同様な測定ができる。
また、上記の傾斜測定器４４は、電子式として傾斜が予め設定した規準値になると音や光で報知するなど、ガラス面の傾斜が測定される手段において実施例に限定するものでない。
【００５２】  図１０は、前記操作部３４と駆動部２１との系統図を示し、駆動部２１はステッピングモーター２４とエンコーダ３１、およびステッピングモーター２４に接続したモータードライバー６４とで構成して、前述の上部取り付け手段１１に対応して左右一対で設けられ、また、ステッピングモーター２４の駆動を操作する操作部３４のディスプレイ３５と操作スイッチ６５もこの左右の駆動部２１に対応して設けられている。
【００５３】  図１１は、このシステムの制御系を示し、上記の駆動部２１に接続した制御ユニット２２と、この制御ユニット２２と接続した操作部３４とで構成している。
制御ユニット２２は、パチンコ島１の内部の電源と接続した電源回路６６と、この電源回路６６に接続したインターフェイス６７とマイクロコントローラ６８および電源スイッチ６９とで構成し、マイクロコントローラ６８はメモリー６８ａを備えるとともにインターフェイス６７と接続している。
上記の制御ユニット２２は操作部３４と接続しこの操作部３４の操作によって、当該制御ユニット２２およびエンコーダ３１を介してステッピングモーター２４を制御駆動してパチンコ台７の傾斜が設定される。
【００５４】  図１２は、このシステムのフローを示し、この操作は図５の操作部３４を参照されたい。
▲１▼、操作部３４および制御ユニット２２の電源スイッチ３９と６９をＯＮにし、
▲２▼、リセットスイッチ３６を押すと、ディスプレイ３５に表示されていた以前のデーターが削除され、仮定した傾斜の規準値が表示される。（この規準値は、実施例では３分５厘とし、マイクロコントローラ６８に事前に設定されている）
▲３▼、パチンコ台７のガラス面４６に傾斜測定器４４を装着して、ガラス面４６の傾斜を測定する。
▲４▼、増減スイッチ３８をインチング操作（間欠操作）して、ガラス面４６の傾斜を５厘間隔で規準値の傾斜に設定する。
▲５▼、次ぎに、セットスイッチ３７を押すと、下記の次の増減スイッチ３８の操作において設定される傾斜値の変化とディスプレイ３５の表示とが５厘間隔で相関し、また、この傾斜値とディスプレイ３５の表示とがマイクロコントローラ６８のメモリー６８ａに記憶される。
▲６▼、次ぎに、増減スイッチ３８を、＋もしくは−にインチング操作して、ガラス面４６の傾斜を５厘間隔で変えて予定の傾斜に設定し、また、この増減スイッチ３８のインチング操作において、この傾斜値が同様に５厘間隔で相関してディスプレイ３５に表示されるとともに、この傾斜値と表示との相関関係とディスプレイ３５の表示とがマイクロコントローラ６８のメモリー６８ａに記憶される。
従って、上記で設定した傾斜を変更するには、傾斜測定器を使用せずに増減スイッチのインチング３８の操作のみでおこなうことができる。
【００５５】  図１３図は、このシステムの他の実施例のフローを示し、この操作は図６の操作部３４を参照されたい。
▲１▼、操作部３４および制御ユニット２２の電源スイッチ３９と６９をＯＮにして、
▲２▼、リセットスイッチ３６を押して、ディスプレイ３５に表示されていた以前のデーターを削除する。
▲３▼、パチンコ台７のガラス面４６に傾斜測定器４４を装着して、ガラス面４６の傾斜を測定し、
▲４▼、傾斜測定器４４で確認しながら、増減スイッチ３８を＋もしくは−にインチング操作して、ガラス面４６の傾斜を５厘間隔で変えて予定の傾斜に設定する。
▲５▼、次に、ディスプレイスイッチ４３を押して、増減スイッチ３８の操作でディスプレイ３５の表示が５厘間隔で変わるように設定し、
増減スイッチ３８をインチング操作して、ディスプレイ３５の表示を、＋もしくは−に５厘間隔で変えて、上記の▲４▼の設定値を表示する。
▲６▼、終わりに、セットスイッチ３７を押すことで、傾斜値とディスプレイ３５の表示とが５厘間隔で相関関係となり、また、この傾斜と表示の相関関係とディスプレイ３５の表示とがマイクロコントローラ６８のメモリー６８ａに記憶される。
従って、上記で設定した傾斜を次に別の傾斜に変更するには、傾斜測定器４４を使用せずに増減スイッチ３８のインチング操作のみでおこなうことができる。
【００５６】  また、上記の図１２と図１３に示した傾斜設定のフローにおいて、▲２▼のリセットスイチ３６の操作の以前もしくは以後に、前述の上部取り付け手段１１の台枠４の取り付け位置を、増減スイッチ３８を連続的もしくはインチング操作して規準位置Ｇ１に設定する。
また、上記の図１２および図１３の設定は、操作部３４の左右の操作スイッチ６５において同様に行なわれる。
上述の傾斜の設定システムは、パチンコ台７の盤面４５と平行に設置されているガラス面４６の傾斜を設定することでパチンコ台７の傾斜が設定される。
【００５７】  図１７は、操作部３４をパチンコ島１に設けずに、パチンコ島１の前方から遠隔操作でパチンコ台７の傾斜を設定する系統図で、この操作部３４には、ディスプレイ３５と操作スイッチ６５が設けられ、差込側のコネクター７１を備えたケーブル７２を接続し、他方、制御ユニット２２には受け側のコネクター７３を設けて、このコネクター７３に差込側のコネクター７１を接続して遠隔操作するようにしている。
【００５８】  図１８は、遠隔操作の他の系統図を示し、操作部３４には、ディスプレイ３５と操作スイッチ６５の他に、制御ユニット２２を設けて、前記同様にして遠隔操作するようにしている。
この場合、制御部ユニット２２をパチンコ台１台ごとに設ける必要が無いので経済的となる。
【００５９】  また、上記の図１７と図１８の操作部３４にはバッテリー７５を設けて、パチンコ島１の内部の電気配線を不要としてもよい。
【００６０】  図１４は、図１７および図１８の遠隔操作の実施例を示し、上記の受け側のコネクター７３は、パチンコ島１の点検開口４０の開口の下板に、取り付け金具７６および止着ネジ７７によって設置されている。
操作部３４のケーブル７２に接続した差込側のコネクター７１を上記のコネクター７３に差し込んで、パチンコ台７の傾斜を遠隔操作して設定する。
【００６１】  図１５は、遠隔操作の他の実施例を示し、パチンコ島１側の制御ユニット２２に無線信号の受信回路８０を設け、他方、操作部３４には送信回路８１を設けて、パチンコ台７の傾斜を無線によって遠隔操作するようにしている。
【００６２】  図１６は、傾斜測定器４４をガラス面４６に装着する作業時に、操作部３４を仮りに置けるようにした例を示し、パチンコ島１の前面に突起７８を設け、他方、操作部３４には吊り下げ穴７９を形成して、この突起７８に吊り下げ穴７９を掛け止めできるようにして操作部３４を仮り置きできるようにしている。
【００６３】  図１９と図２０で示した上部取付け手段１１は、逆Ｕ字形の支承板８２を内側に固着し、他方、前端に固定板８３を形成した固定部１４と、支承板８２の軸受部８４の穴８５および軸受凹部８６を介して回転自在に枢支された回転ボルト１６と、この回転ボルト１６に螺着したナット１８およびこのナット１８に連結した移動部１５とで構成されている。
固定部１４は、パチンコ島１の天板２の上面に固定板８３を配置してネジ穴８７を介してビス１３ａで天板２に固定されている。
上記のナット１８は、左右の外側を、固定部１４に一体で形成した揺れ止め板８９と係合して左右の揺れが防止され、また、回転ボルト１６の回転で移動する。
移動部１５は、前部に形成した装着板９０に、台枠４の上枠５を止着穴９１を介してビス１３ｂで止着し、他方、後部は上方へ曲折してガイド板９３を形成し、このガイド板９３には縦長の案内穴９４が穿設されている。
また、ガイド板９３の内側にはナット１８を配置して、スプリングピン９５を案内穴９４およびナット１８の穴９７に嵌入することで、上記の移動部１５はナット１８と上下移動自在に連結されて、上枠５の上下移動にともなって上下に移動し、パチンコ台７の傾斜の設定における上枠４の傾きの変化に追随できる。
９８は回転ボルト１６の後端部を支承するコ字形の軸受け板を示し、この軸受凹部９９で回転ボルト１６を回転自在に支承し、ネジ１００で穴１０１およびネジ穴１０２を介して揺れ止め板８９に止着されている。
【００６４】  他方、上記の固定部１４の上部にはＬ形の取り付け金具１０３によって、駆動部２１と制御ユニット２２を含むパッケージ２３を設置し、回転ボルト１６の後端に設けた従動ギヤ３３と駆動部２１の駆動ギヤ３２とを歯合連結することで、ステッピングモーター２４の制御駆動によってパチンコ台７の傾斜が設定される。
【００６５】  また、実施例では、駆動部２１を上記とは別にギヤドモーターを備えたエンコーダ付きモーター１０４として、このエンコーダ付きモーター１０４を、上記のパッケージ２３と同様に取り付け金具１０３によって固定部１４の上部に設置して、このエンコーダ付きモーター１０４の制御駆動によってパチンコ台７の傾斜が設定されるようにしている。
【００６６】  図２１は、パッケージ２３およびエンコーダ付きモーター１０４の他の設置例を示している。
固定部１４に止着した取り付け金具１０５は水平な板状とし、この下面にパッケージ２３もしくはエンコーダ付きモーター１０４を取り付けることで、パッケージ２３を固定部１４の左右何れかに設置することができる。
【００６７】図２２は、パチンコ台１台ごとに設けられる制御ユニット２２を、店内のパチンコ台７を管理するホールコンピューター１０６と接続して、このホールコンピューター１０６でパチンコ台７の傾斜を集中管理するシステムを例示している。
【符号の説明】
【００６８】  １・・・パチンコ島
２・・・天板
３・・・下板
４・・・台枠
５・・・上枠
６・・・下枠
７・・・パチンコ台
１１・・・上部取り付け手段
１２・・・下部取り付け手段
１４・・・固定部
１５・・・移動部
１６・・・回転ボルト
１８・・・ナット
２１・・・駆動部
２２・・・制御ユニット
２３・・・パッケージ
２４・・・ステッピングモーター
２８・・・ギヤ軸
３１・・・エンコーダ
３２・・・駆動ギヤ
３３・・・従動ギヤ
３４・・・操作部
３５・・・ディスプレイ
３６・・・リセットスイッチ
３７・・・セットスイッチ
３８・・・増減スイッチ
３９・・・電源スイッチ
４０・・・点検開口
４２・・・幕板
４３・・・ディスプレイスイッチ
４４・・・傾斜測定器
４６・・・ガラス面
５５・・・気泡管
６３・・・規準線
６５・・・操作スイッチ
６６・・・電源回路
６７・・・インターフェイス
６８・・・マイクロコントローラ
６８ａ・・メモリー
６９・・・電源スイッチ
７１・・・コネクター
７２・・・ケーブル
７３・・・コネクター
７５・・・バッテリー
８０・・・受信回路
８１・・・送信回路
１０４・・・エンコーダ付きモーター
１０６・・・ホールコンピューター
【図１】
2020192300.tif 000003
【図２】
2020192300.tif 000004
【図３】
2020192300.tif 000005
【図４】
2020192300.tif 000006
【図５】
2020192300.tif 000007
【図６】
2020192300.tif 000008
【図７】
2020192300.tif 000009
【図８】
2020192300.tif 000010
【図９】
2020192300.tif 000011
【図１０】
2020192300.tif 000012
【図１１】
2020192300.tif 000013
【図１２】
2020192300.tif 000014
【図１３】
2020192300.tif 000015
【図１４】
2020192300.tif 000016
【図１５】
2020192300.tif 000017
【図１６】
2020192300.tif 000018
【図１７】
2020192300.tif 000019
【図１８】
2020192300.tif 000020
【図１９】
2020192300.tif 000021
【図２０】
2020192300.tif 000022
【図２１】
2020192300.tif 000023
【図２２】
2020192300.tif 000024
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
パチンコ島に固定され、パチンコ台の台枠の上枠と下枠の左右個所を取り付ける上部取り付け手段と、下部取り付け手段よりなり、
上部取り付け手段は、パチンコ島の前後方向に水平向きで回転ボルトを枢着してパチンコ島に固定される固定部と、
回転ボルトに螺着したナットを介して上記の固定部に連結し、台枠の上枠を取り付ける移動部とで構成し、
回転ボルトには、
複数のギヤを介してステッピングモーターを連結するとともに、このギヤ軸には制御ユニットに接続したエンコーダを配置し、
エンコーダの信号に対応する上記の制御ユニットによって、ステッピングモーターを制御駆動することで、
パチンコ台の上部が、他方、台枠の下部の取り付け個所を支点としてパチンコ島の前後方向に移動してパチンコ台の傾斜を設定できるようにしたパチンコ台の傾斜設定システムに於いて、
制御ユニットは、
電源回路と、インターフェイス回路と、メモリーを備えたマイクロコントローラと、
マイクロコントローラと接続し、ディスプレイを備えた操作部とで構成し、
操作部の操作によるパチンコ台の傾斜の設定において、
以前のデーターが削除されるとともに、仮定した傾斜の規準値がディスプレイに表示されるステップと、
傾斜測定器で、パチンコ台の傾斜を測定して、
パチンコ台の傾斜を仮定の規準値の傾斜に設定するステップと、
操作部の操作において設定される傾斜値と、ディスプレイの表示とが５厘間隔で相関するとともに、この相関関係とディスプレイの表示とが記憶されるように設定されるステップと、
パチンコ台の傾斜を５厘間隔で予定の傾斜に設定するステップとが行なえるように、
マイクロコクトローラに組み込まれ、
上記で設定された傾斜と異なる次ぎの傾斜の設定においては、
傾斜測定器を使用しなくても傾斜が設定できるようにしたこと、
を特徴とするパチンコ台の傾斜設定システム。
【請求項２】
パチンコ島に固定され、パチンコ台の台枠の上枠と下枠の左右個所を取り付ける上部取り付け手段と、下部取り付け手段とよりなり、
上部取り付け手段は、パチンコ島の前後方向に水平向きで回転ボルトを枢着してパチンコ島に固定される固定部と、
回転ボルトに螺着したナットを介して上記の固定部に連結し、台枠の上枠を取り付ける移動部とで構成し、
回転ボルトには、
複数のギヤを介してステッピングモーターを連結するとともに、このギヤ軸には制御ユニットに接続したエンコーダを配置し、
エンコーダの信号に対応する上記の制御ユニットによって、ステッピングモーターを制御駆動することで、
パチンコ台の上部が、他方、台枠の下部の取り付け個所を支点としてパチンコ島の前後方向に移動してパチンコ台の傾斜を設定できるようにしたパチンコ台の傾斜設定システムに於いて、
制御ユニットは、
電源回路と、インターフェイス回路と、メモリーを備えたマイクロコントローラと、
マイクロコントローラと接続し、ディスプレイを備えた操作部とで構成し、
操作部の操作によるパチンコ台の傾斜の設定において、
以前のデーターを削除するステップと、
傾斜測定器で、パチンコ台の傾斜を測定して、
パチンコ台の傾斜を予定の傾斜に設定するステップと、
上記で設定された傾斜値を５厘間隔でディスプレイに表示するステップと、
操作部の操作において設定される傾斜値と、ディスプレイの表示とが５厘間隔で相関するとともに、この相関関係とディスプレイの表示とが記憶されるように設定されるステップとが行なえるように、
マイクロコクトローラに組み込まれ、
上記で設定された傾斜と異なる次ぎの傾斜の設定においては、
傾斜測定器を使用しなくても傾斜が設定できるようにしたこと、
を特徴とするパチンコ台の傾斜設定システム。
【請求項３】
前記パチンコ台の台枠をパチンコ島に固定した後に、
上部取り付け手段の台枠の取り付け位置が、
パチンコ島の前面を基点とした基準の取り付け位置と異なる場合は、
操作部を連続的に操作することで、上部取り付け手段の台枠の取り付け位置を、規準の取り付け位置に設定することができ、
また、パチンコ台の傾斜の設定においては、
操作部をインチング操作することで、パチンコ台の傾斜が５厘単位で間欠的に設定されるように、
マイクロコントローラに組み込まれていること、
を特徴とする前記請求項１と２に記載のパチンコ台の傾斜調整システム。
【請求項４】
前記操作部は、
リセットスイッチと、
パチンコ台の傾斜値が表示されるディスプレイと、
増減スイッチと、
セットスイッチとよりなり、
リセットスイッチは、この操作で、以前のデーターが削除されるとともにディスプレイにパチンコ台の仮定の傾斜の規準値が表示され、
また、増減スイッチは、このインチング操作で、５厘間隔で間欠的にパチンコ台の傾斜が設定され、
また、セットスイッチは、この操作で、上記の増減スイッチのインチング操作における傾斜の設定と相関して、この傾斜値が５厘間隔でディスプレイに表示されるとともに、この相関関係と表示とが記憶されるように、
マイクロコントローラに組み込まれていること、
を特徴とする前記請求項１に記載のパチンコ台の傾斜設定システム。
【請求項５】
前記操作部は、
リセットスイッチと、
パチンコ台の傾斜値が表示されるディスプレイと、
ディスプレイスイッチと、
増減スイッチと、
セットスイッチとよりなり、
リセットスイッチは、この操作で、以前のデーターが削除され、
また、増減スイッチは、このインチング操作で、５厘間隔で間欠的にパチンコ台の傾斜が設定され、
また、ディスプレイスイッチは、この操作で、増減スイッチがディスプレイ表示の増減スイッチに切り替わり、この切り替わり後における増減スイッチの操作で、ディスプレイにパチンコ台の傾斜値が５厘間隔で表示され、
また、セットスイッチは、この操作で、増減スイッチが前記ディスプレイ表示の増減スイッチから、傾斜設定の増減スイッチに切り替わるとともに、該増減スイッチのインチング操作に相関して、この傾斜値が５厘間隔でディスプレイに表示されるとともに、この相関関係と表示とが記憶されるように、
マイクロコントローラに組み込まれていること、
を特徴とする前記請求項２に記載のパチンコ台の傾斜設定システム。
【請求項６】
前記制御ユニットの操作部は、
パチンコ島の点検口の周縁部に設置し、
上記の点検口に開閉自在に設けられた幕板で点検時以外は遮られていること、
を特徴とする前記請求項１乃至５に記載のパチンコ台の傾斜設定システム。
【請求項７】
前記制御ユニットは、
パチンコ島に設置するとともに、コネクターを設け、
前記操作部は、制御ユニットから切り離すとともに、コネクターを備えたケーブルを接続し、
制御ユニットのコネクターに、操作部のコネクターを接続して、
パチンコ島の前方より該操作部で、遠隔操作するようにしたこと、
を特徴とする前記請求項１乃至５に記載のパチンコ台の傾斜設定システム。
【請求項８】
前記制御ユニットにおけるマイクロコントローラのメモリーを切り離して、パチンコ島に設置するとともに、
このメモリーには、コネクターを設け、
操作部を含む前記制御ユニットには、コネクターを備えたケーブルを接続し、
メモリーのコネクターに、制御ユニットのコネクターを接続して、
パチンコ島の前方より該操作部で遠隔操作するようにしたこと、
を特徴とする前記請求項１乃至５に記載のパチンコ台の傾斜設定システム。
【請求項９】
パチンコ島に設置しない前記の操作部、
もしくは、パチンコ島に設置しない制御ユニットには、
バッテリーを設けたこと、
を特徴とする前記請求項７と８に記載のパチンコ台の傾斜設定システム。
【請求項１０】
前記制御ユニットは
パチンコ島に設置するとともに、受信回路を設け、
前記操作部は、
制御ユニットから切り離すとともに、送信回路を設けて、
パチンコ島の前方より該操作部で無線遠隔操作すること、
を特徴とする前記請求項１乃至５に記載のパチンコ台の傾斜設定システム。
【請求項１１】
前記制御ユニットは、ステッピングモーターと複数のギヤおよびエンコーダよりなる駆動部とパッケージ化し、
このパッケージを、パチンコ台の上部取り付け手段の固定部の上部もしくは左右の一側に設置し、
この駆動部と、上部取り付け手段の固定部の回転ボルトとを複数のギヤを介して連結したこと、
を特徴とする前記請求項１と２に記載のパチンコ台の傾斜設定システム。
【請求項１２】
前記ステッピングモーターは、ギヤヘッドと一体化したエンコーダ付きモーターを用い、
上部取り付け手段の固定部の上部もしくは左右の一側に設置し、
このエンコーダ付きモーターと上部取り付け手段の回転ボルトとを複数のギヤで連結したこと、
を特徴とする前記請求項１と２に記載のパチンコ台の傾斜設定システム。
【請求項１３】
前記制御ユニットは、遊戯施設全体を管理するホールコンピューターに組み込まれるようにしたこと、
を特徴とする前記請求項１と２に記載のパチンコ台の傾斜設定システム。
【請求項１４】
前記傾斜測定器は気泡管を備え、
パチンコ台が仮定の規準値の傾斜にある時の、
気泡管の気泡の位置に、
規準線や規準マークなどを設けて、
パチンコ台の傾斜を、測定できるようにしたこと、
を特徴とする前記請求項１と２に記載のパチンコ台の傾斜設定システム。
【手続補正２】
【補正対象書類名】明細書
【補正対象項目名】００１８
【補正方法】変更
【補正の内容】
【００１８】  前記課題を解決するため、この発明のパチンコ台の傾斜調整システムは、パチンコ島に固定され、パチンコ台の台枠の上枠と下枠の左右個所を取り付ける上部取り付け手段と、下部取り付け手段よりなり、上部取り付け手段は、パチンコ島の前後方向に水平向きで回転ボルトを枢着してパチンコ島に固定される固定部と、回転ボルトに螺着したナットを介して上記の固定部に連結し、台枠の上枠を取り付ける移動部とで構成し、回転ボルトには、複数のギヤを介してステッピングモーターを連結するとともに、このギヤ軸には制御ユニットに接続したエンコーダを配置し、エンコーダの信号に対応する上記の制御ユニットによって、ステッピングモーターを制御駆動することで、パチンコ台の上部が、他方、台枠の下部の取り付け個所を支点としてパチンコ島の前後方向に移動してパチンコ台の傾斜を設定できるようにしたパチンコ台の傾斜設定システムに於いて、制御ユニットは、電源回路と、インターフェイス回路と、メモリーを備えたマイクロコントローラと、マイクロコントローラと接続し、ディスプレイを備えた操作部とで構成し、操作部の操作によるパチンコ台の傾斜の設定において、以前のデーターが削除されるとともに、仮定した傾斜の規準値がディスプレイに表示されるステップと、傾斜測定器で、パチンコ台の傾斜を測定して、パチンコ台の傾斜を仮定の規準値の傾斜に設定するステップと、操作部の操作において設定される傾斜値と、ディスプレイの表示とが５厘間隔で相関するとともに、この相関関係とディスプレイの表示とが記憶されるように設定されるステップと、パチンコ台の傾斜を５厘間隔で予定の傾斜に設定するステップとが行なえるように、マイクロコクトローラに組み込まれ、上記で設定された傾斜と異なる次ぎの傾斜の設定においては、傾斜測定器を使用しなくても傾斜が設定できるようにした。
【手続補正３】
【補正対象書類名】明細書
【補正対象項目名】００１９
【補正方法】変更
【補正の内容】
【００１９】  パチンコ島に固定され、パチンコ台の台枠の上枠と下枠の左右個所を取り付ける上部取り付け手段と、下部取り付け手段とよりなり、上部取り付け手段は、パチンコ島の前後方向に水平向きで回転ボルトを枢着してパチンコ島に固定される固定部と、回転ボルトに螺着したナットを介して上記の固定部に連結し、台枠の上枠を取り付ける移動部とで構成し、回転ボルトには、複数のギヤを介してステッピングモーターを連結するとともに、このギヤ軸には制御ユニットに接続したエンコーダを配置し、エンコーダの信号に対応する上記の制御ユニットによって、ステッピングモーターを制御駆動することで、パチンコ台の上部が、他方、台枠の下部の取り付け個所を支点としてパチンコ島の前後方向に移動してパチンコ台の傾斜を設定できるようにしたパチンコ台の傾斜設定システムに於いて、制御ユニットは、電源回路と、インターフェイス回路と、メモリーを備えたマイクロコントローラと、マイクロコントローラと接続し、ディスプレイを備えた操作部とで構成し、操作部の操作によるパチンコ台の傾斜の設定において、以前のデーターを削除するステップと、傾斜測定器で、パチンコ台の傾斜を測定して、パチンコ台の傾斜を予定の傾斜に設定するステップと、上記で設定された傾斜値を５厘間隔でディスプレイに表示するステップと、操作部の操作において設定される傾斜値と、ディスプレイの表示とが５厘間隔で相関するとともに、この相関関係とディスプレイの表示とが記憶されるように設定されるステップとが行なえるように、マイクロコクトローラに組み込まれ、上記で設定された傾斜と異なる次ぎの傾斜の設定においては、傾斜測定器を使用しなくても傾斜が設定できるようにした。
【手続補正４】
【補正対象書類名】明細書
【補正対象項目名】００２０
【補正方法】変更
【補正の内容】
【００２０】  前記パチンコ台の台枠をパチンコ島に固定した後に、上部取り付け手段の台枠の取り付け位置が、パチンコ島の前面を基点とした基準の取り付け位置と異なる場合は、操作部を連続的に操作することで、上部取り付け手段の台枠の取り付け位置を、規準の取り付け位置に設定することができ、また、パチンコ台の傾斜の設定においては、操作部をインチング操作することで、パチンコ台の傾斜が５厘単位で間欠的に設定されるように、マイクロコントローラに組み込まれているようにした。
【手続補正５】
【補正対象書類名】明細書
【補正対象項目名】００２１
【補正方法】変更
【補正の内容】
【００２１】  前記操作部は、リセットスイッチと、パチンコ台の傾斜値が表示されるディスプレイと、
増減スイッチと、セットスイッチとよりなり、リセットスイッチは、この操作で、以前のデーターが削除されるとともにディスプレイにパチンコ台の仮定の傾斜の規準値が表示され、また、増減スイッチは、このインチング操作で、５厘間隔で間欠的にパチンコ台の傾斜が設定され、また、セットスイッチは、この操作で、上記の増減スイッチのインチング操作における傾斜の設定と相関して、この傾斜値が５厘間隔でディスプレイに表示されるとともに、この相関関係と表示とが記憶されるように、マイクロコントローラに組み込まれているようにした。
【手続補正６】
【補正対象書類名】明細書
【補正対象項目名】００２２
【補正方法】変更
【補正の内容】
【００２２】  前記操作部は、リセットスイッチと、パチンコ台の傾斜値が表示されるディスプレイと、ディスプレイスイッチと、増減スイッチと、セットスイッチとよりなり、リセットスイッチは、この操作で、以前のデーターが削除され、また、増減スイッチは、このインチング操作で、５厘間隔で間欠的にパチンコ台の傾斜が設定され、また、ディスプレイスイッチは、この操作で、増減スイッチがディスプレイ表示の増減スイッチに切り替わり、この切り替わり後における増減スイッチの操作で、ディスプレイにパチンコ台の傾斜値が５厘間隔で表示され、また、セットスイッチは、この操作で、増減スイッチが前記ディスプレイ表示の増減スイッチから、傾斜設定の増減スイッチに切り替わるとともに、該増減スイッチのインチング操作に相関して、この傾斜値が５厘間隔でディスプレイに表示されるとともに、この相関関係と表示とが記憶されるように、マイクロコントローラに組み込まれているようにした。
【手続補正７】
【補正対象書類名】明細書
【補正対象項目名】００２３
【補正方法】変更
【補正の内容】
【００２３】前記制御ユニットの操作部は、パチンコ島の点検口の周縁部に設置し、上記の点検口に開閉自在に設けられた幕板で点検時以外は遮られているようにした。
【手続補正８】
【補正対象書類名】明細書
【補正対象項目名】００２４
【補正方法】変更
【補正の内容】
【００２４】前記制御ユニットは、パチンコ島に設置するとともに、コネクターを設け、前記操作部は、制御ユニットから切り離すとともに、コネクターを備えたケーブルを接続し、制御ユニットのコネクターに、操作部のコネクターを接続して、パチンコ島の前方より該操作部で、遠隔操作するようにした。
【手続補正９】
【補正対象書類名】明細書
【補正対象項目名】００２５
【補正方法】変更
【補正の内容】
【００２５】前記制御ユニットにおけるマイクロコントローラのメモリーを切り離して、パチンコ島に設置するとともに、このメモリーには、コネクターを設け、操作部を含む前記制御ユニットには、コネクターを備えたケーブルを接続し、メモリーのコネクターに、制御ユニットのコネクターを接続して、パチンコ島の前方より該操作部で遠隔操作するようにした。
【手続補正１０】
【補正対象書類名】明細書
【補正対象項目名】００２６
【補正方法】変更
【補正の内容】
【００２６】パチンコ島に設置しない前記の操作部、もしくは、パチンコ島に設置しない制御ユニットには、バッテリーを設けるようにした。
【手続補正１１】
【補正対象書類名】明細書
【補正対象項目名】００２７
【補正方法】変更
【補正の内容】
【００２７】前記制御ユニットはパチンコ島に設置するとともに、受信回路を設け、前記操作部は、制御ユニットから切り離すとともに、送信回路を設けて、パチンコ島の前方より該操作部で無線遠隔操作するようにした。
【手続補正１２】
【補正対象書類名】明細書
【補正対象項目名】００２８
【補正方法】変更
【補正の内容】
【００２８】  前記制御ユニットは、ステッピングモーターと複数のギヤおよびエンコーダよりなる駆動部とパッケージ化し、このパッケージを、パチンコ台の上部取り付け手段の固定部の上部もしくは左右の一側に設置し、この駆動部と、上部取り付け手段の固定部の回転ボルトとを複数のギヤを介して連結するようにした。
【手続補正１３】
【補正対象書類名】明細書
【補正対象項目名】００２９
【補正方法】変更
【補正の内容】
【００２９】  前記ステッピングモーターは、ギヤヘッドと一体化したエンコーダ付きモーターを用い、上部取り付け手段の固定部の上部もしくは左右の一側に設置し、このエンコーダ付きモーターと上部取り付け手段の回転ボルトとを複数のギヤで連結するようにした。
【手続補正１４】
【補正対象書類名】明細書
【補正対象項目名】００３１
【補正方法】変更
【補正の内容】
【００３１】  前記傾斜測定器は気泡管を備え、パチンコ台が仮定の規準値の傾斜にある時の、気泡管の気泡の位置に、規準線や規準マークなどを設けて、パチンコ台の傾斜を、測定できるようにした。
【手続補正１５】
【補正対象書類名】明細書
【補正対象項目名】００５６
【補正方法】変更
【補正の内容】
【００５６】  また、上記の図１２と図１３に示した傾斜設定のフローにおいて、▲２▼のリセットスイチ３６の操作の以前もしくは以後に、前述の上部取り付け手段１１の台枠４の取り付け位置を、増減スイッチ３８を連続的もしくはインチング操作して規準位置Ｇ１に設定する。
また、上記の図１２および図１３の設定は、操作部３４の左右の操作スイッチ６５において同様に行なわれる。
上述の傾斜の設定システムは、パチンコ台７の盤面４５と平行に設置されているガラス面４６の傾斜を設定することでパチンコ台７の傾斜が設定される。
また、増減スイッチ３８のインチング操作に於いて、１回のインチング操作で、図１の回転ボルト１６が１回転するように設定し、また、この回転ボルト１６のネジピッチを１．５ミリとしていると、この１回のインチング操作によって、パチンコ台１の上部は１．５ミリ（５厘）前方向もしくは後ろ方向に移動して、パチンコ台１の傾斜が５厘変更される。
上記インチング操作によってパチンコ台１の傾斜を５厘間隔で設定することができる。
【手続補正１６】
【補正対象書類名】明細書
【補正対象項目名】００６４
【補正方法】変更
【補正の内容】
【００６４】  他方、上記の固定部１４の上部にはＬ形の取り付け金具１０３によって、駆動部２１と制御ユニット２２を含むパッケージ２３を設置し、回転ボルト１６の後端に設けた従動ギヤ３３と駆動部２１の駆動ギヤ３２とを歯合連結することで、ステッピングモーター２４の制御駆動によってパチンコ台７の傾斜が設定される。
また、実施例では回転ボルト１６と駆動部２１をギヤで噛合連結するにあたり、駆動ギヤ３２と従動ギヤ３３との噛合で構成しているが、この他、回転ボルト１６を回転させるに充分な回転トルクを得るために、複数個のギヤやギヤボックス（図示せず）を介在させて噛合連結してもよい。
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
パチンコ島に固定され、パチンコ台の台枠の上枠と下枠の左右個所を取り付ける上部取り付け手段と、下部取り付け手段よりなり、
上部取り付け手段は、パチンコ島の前後方向に水平向きで回転ボルトを枢着してパチンコ島に固定される固定部と、
回転ボルトに螺着したナットを介して上記の固定部に連結し、台枠の上枠を取り付ける移動部とで構成し、
回転ボルトには、
複数のギヤを介してステッピングモーターを連結するとともに、このギヤ軸には制御ユニットに接続したエンコーダを配置し、
エンコーダの信号に対応する上記の制御ユニットによって、ステッピングモーターを制御駆動することで、
パチンコ台の上部が、他方、台枠の下部の取り付け個所を支点としてパチンコ島の前後方向に移動してパチンコ台の傾斜を設定できるようにしたパチンコ台の傾斜設定システムに於いて、
前記、制御ユニットは、
電源回路と、インターフェイス回路と、メモリーを備えたマイクロコントローラと、
マイクロコントローラと接続し、ディスプレイを備えた操作部とで構成し、
操作部の操作によるパチンコ台の傾斜の設定において、
以前のデーターが削除されるとともに、仮定した傾斜の規準値がディスプレイに表示されるステップと、
傾斜測定器で、パチンコ台の傾斜を測定して、
パチンコ台の傾斜を仮定の規準値の傾斜に設定するステップと、
操作部の操作において設定される傾斜値と、ディスプレイの表示とが５厘間隔で相関するとともに、この傾斜値が記憶されるように設定されるステップと、
パチンコ台の傾斜を５厘間隔で予定の傾斜に設定するステップとが行なわれるように、
マイクロコントローラに組み込まれ、
上記で設定された傾斜と異なる次ぎの傾斜の設定においては、
傾斜測定器を使用しなくても傾斜が設定できるようにした、
パチンコ台の傾斜設定システムであり、
前記パチンコ台の台枠をパチンコ島に固定した後に、
上部取り付け手段の台枠の取り付け位置が、
パチンコ島の前面を基点とした基準の取り付け位置と異なる場合は、
操作部を連続的に操作することで、上部取り付け手段の台枠の取り付け位置を、規準の取り付け位置に設定することができ、
また、パチンコ台の傾斜の設定においては、
操作部をインチング操作することで、パチンコ台の傾斜が５厘単位で間欠的に設定されるように、
マイクロコントローラに組み込まれていることを特徴とするパチンコ台の傾斜設定システム。
【請求項２】
パチンコ島に固定され、パチンコ台の台枠の上枠と下枠の左右個所を取り付ける上部取り付け手段と、下部取り付け手段とよりなり、
上部取り付け手段は、パチンコ島の前後方向に水平向きで回転ボルトを枢着してパチンコ島に固定される固定部と、
回転ボルトに螺着したナットを介して上記の固定部に連結し、台枠の上枠を取り付ける移動部とで構成し、
回転ボルトには、
複数のギヤを介してステッピングモーターを連結するとともに、このギヤ軸には制御ユニットに接続したエンコーダを配置し、
エンコーダの信号に対応する上記の制御ユニットによって、ステッピングモーターを制御駆動することで、
パチンコ台の上部が、他方、台枠の下部の取り付け個所を支点としてパチンコ島の前後方向に移動してパチンコ台の傾斜を設定できるようにしたパチンコ台の傾斜設定システムに於いて、
前記、制御ユニットは、
電源回路と、インターフェイス回路と、メモリーを備えたマイクロコントローラと、
マイクロコントローラと接続し、ディスプレイを備えた操作部とで構成し、
操作部の操作によるパチンコ台の傾斜の設定において、
以前のデーターを削除するステップと、
傾斜測定器で、パチンコ台の傾斜を測定して、
パチンコ台の傾斜を予定の傾斜に設定するステップと、
上記で設定された傾斜値を５厘間隔でディスプレイに表示するステップと、
操作部の操作において設定される傾斜値と、ディスプレイの表示とが５厘間隔で相関するとともに、この傾斜値が記憶されるように設定されるステップとが、行なわれるように、
マイクロコントローラに組み込まれ、
上記で設定された傾斜と異なる次ぎの傾斜の設定においては、
傾斜測定器を使用しなくても傾斜が設定できるようにした、
パチンコ台の傾斜設定システムであり、
前記パチンコ台の台枠をパチンコ島に固定した後に、
上部取り付け手段の台枠の取り付け位置が、
パチンコ島の前面を基点とした基準の取り付け位置と異なる場合は、
操作部を連続的に操作することで、上部取り付け手段の台枠の取り付け位置を、規準の取り付け位置に設定することができ、
また、パチンコ台の傾斜の設定においては、
操作部をインチング操作することで、パチンコ台の傾斜が５厘単位で間欠的に設定されるように、
マイクロコントローラに組み込まれていることを特徴とするパチンコ台の傾斜設定システム。
【請求項３】
前記制御ユニットの操作部は、
パチンコ島の点検口の周縁部に設置し、
上記の点検口に開閉自在に設けられた幕板で点検時以外は遮られていること、
を特徴とする前記請求項１及び２に記載のパチンコ台の傾斜設定システム。
【請求項４】
前記制御ユニットは、
パチンコ島に設置するとともに、コネクターを設け、
前記操作部は、制御ユニットから切り離すとともに、コネクターを備えたケーブルを接続し、
制御ユニットのコネクターに、操作部のコネクターを接続して、
パチンコ島の前方より該操作部で、遠隔操作するようにしたこと、
を特徴とする前記請求項１及び２に記載のパチンコ台の傾斜設定システム。
【請求項５】
前記制御ユニットにおけるマイクロコントローラのメモリーを切り離して、パチンコ島に設置するとともに、
このメモリーには、コネクターを設け、
操作部を含む前記制御ユニットには、コネクターを備えたケーブルを接続し、
メモリーのコネクターに、制御ユニットのコネクターを接続して、
パチンコ島の前方より該操作部で遠隔操作するようにしたこと、
を特徴とする前記請求項１及び２に記載のパチンコ台の傾斜設定システム。